(57)【要約】【課題】自動車の照明を改良する。【解決手段】多色光ランプは、複数のセグメントに分割されたベースを有している。３つのセグメントは１２０゜間隔を置いて配置されている。それぞれのセグメントにＬＥＤが配置されており、それぞれのセグメントは、他のセグメントにおけるＬＥＤによって発せられた光とは異なる色を発する。ランプが自動車のために使用されるならば、第１のセグメントにおけるＬＥＤはテールライト及びストップライトとしての赤色光を発し、第２のセグメントにおけるＬＥＤは方向指示灯としての黄色光を発し、第３のセグメントにおけるＬＥＤは後退灯として白色光を発する。発せられた光をベースから離れる方向に方向付けるために、それぞれのセグメントにおけるＬＥＤにライトパイプが関連している。【選択図】図１
2006294611.tif 000002
【特許請求の範囲】
【請求項１】
多色発光ランプにおいて、
複数のセグメントに分割されたベースと、
それぞれのセグメントに位置決めされた少なくとも１つのＬＥＤとが設けられており、それぞれのセグメントにおける少なくとも１つのＬＥＤが、他のセグメントにおける少なくとも１つのＬＥＤによって発せられた光とは異なる色の光を発するようになっており、
発せられた光を前記ベースから離れる方向に方向付けるために、それぞれのセグメントにおける少なくとも１つのＬＥＤに関連した光パイプが設けられていることを特徴とする多色発光ランプ。
【請求項２】
前記ＬＥＤが、熱的に効率的なプリント回路板に取り付けられている、請求項１記載の多色発光ランプ。
【請求項３】
前記セグメントの数が３つである、請求項２記載の多色発光ランプ。
【請求項４】
第１のＬＥＤが赤色光を発し、第２のＬＥＤが黄色光を発し、第３のＬＥＤが白色光を発するようになっている、請求項３記載の多色発光ランプ。
【請求項５】
前記ベースが中央取付けアパーチャを有している、請求項４記載の多色発光ランプ。
【請求項６】
前記中央取付けアパーチャがファスナを有している、請求項５記載の多色発光ランプ。
【請求項７】
前記ファスナが車体に固定されている、請求項６記載の多色発光ランプ。
【請求項８】
前記セグメント上に光学プレートが設けられている、請求項７記載の多色発光ランプ。
【請求項９】
前記ベースが、周辺部に配置された複数の取付けアパーチャを有している、請求項４記載の多色発光ランプ。
【請求項１０】
前記ベースが、中央に取り付けられた赤外線源を有している、請求項９記載の多色発光ランプ。
【発明の詳細な説明】
【技術分野】
【０００１】
本発明は概してランプ、特に発光ダイオードを用いるランプに関する。より具体的には、本発明は、自動車車両のための多色発光ランプに関する。
【背景技術】
【０００２】
自動車の後側には、３つの異なる色の光、例えば、テールライト及びストップライトのための赤色、方向指示灯のための琥珀色又は黄色、及び後退灯のための白色、を発する別個のランプが設けられている。ランプは、車体のアパーチャに嵌め込まれており、交換可能な電球を有している。過去におけるランプのための電球は、フィラメント白熱電球であった。最近では、一部の白熱電球、特にセンターハイマウントストップランプ、は、赤色発光ダイオード（ＬＥＤ）と交換されている。これらの固体光源は効率的であり長寿命を有する。しかしながら、これらは、連続動作下で著しい熱を生じる傾向があり、例えばこれはストップライトの断続的な動作に対抗するようにテールライトにおいて見られるものである。生じた熱を散逸させるために、生存可能なヒートシンクを提供する必要がある。全ての３つの光機能のために１つのランプが提供されることができるならば技術上の進歩であろう。車両自体がヒートシンク機能を提供することができるならばさらなる進歩であろう。
【発明の開示】
【発明が解決しようとする課題】
【０００３】
したがって、本発明の目的は従来技術の欠点を排除することである。
【０００４】
本発明の別の目的は自動車の照明を改良することである。
【０００５】
本発明のさらに別の目的は、主要なヒートシンクとして車体を利用するランプを提供することである。
【課題を解決するための手段】
【０００６】
これらの目的は、発明の１つの態様において、複数のセグメントに分割されたベースと、それぞれのセグメントに位置決めされた少なくとも１つのＬＥＤとが設けられており、それぞれのセグメントにおける少なくとも１つのＬＥＤが、他のセグメントにおける少なくとも１つのＬＥＤによって発せられる光とは異なる色の光を発するようになっており、発せられた光を前記ベースから離れる方向に方向付けるための、それぞれのセグメントにおける少なくとも１つのＬＥＤに関連したライトパイプが設けられている多色光ランプによって達成される。
【０００７】
発明の好適な実施形態において、ベースは、車体に直接に固定されたファスナを含む中央取付けアパーチャを有しており、これにより、車体をヒートシンクとして利用する。
【発明を実施するための最良の形態】
【０００８】
本発明のその他の目的、利点及び能力と共に本発明をより理解するために、添付の図面に関連した以下の説明及び添付の請求項が参照される。
【０００９】
ここで図面をさらに詳しく参照すると、図１には、複数のセグメント１４に分割されたベース１２を有する多色光ランプ１０が示されている。示された実施形態において、１２０゜の間隔を置いて配置された３つのセグメントが設けられている。望まれるならば、より多くの又はより少ないセグメントを使用することができる。それぞれのセグメント１４には少なくとも１つのＬＥＤ１６が位置決めされており、それぞれのセグメント１４における少なくとも１つのＬＥＤ１６は、他のセグメント１４における少なくとも１つのＬＥＤによって発せられた光とは異なる色の光を発する。好適には、ランプが自動車のために使用されるならば、第１のセグメントにおけるＬＥＤは、テールライト及びストップライトとして使用されるべき赤色光を発することができ、第２のセグメントにおけるＬＥＤは方向指示灯として使用されるべき黄色光を発することができ、第３のセグメントにおけるＬＥＤは後退灯として機能するための白色光を発することができる。ライトパイプ１８は、発せられた光をベース１２から離れる方向に方向付けるために、それぞれのセグメントにおけるＬＥＤ１６に関連している。ＬＥＤ１６（好適にはセグメントごとに２つ）は、フレックスオンアルミニウムボード等の、熱的に効率的なプリント回路板２０に取り付けられている。
【００１０】
発明の１つの実施形態において、ベース１２は、ファスナ２４、例えばねじ山付ボルト、を含むことができる中央取付けアパーチャ２２を有している。
【００１１】
択一的に、ベース１２の中央には、中央アパーチャ２２において赤外線エミッタ又はセンサが設けられることができ、周辺アタッチメントアパーチャが設けられていることができる。
【００１２】
理想的には、ランプ１０は車体に直接に取り付けられる。例えば、金属の車体２６に、形成されたボス３０が設けられることができ、このボスに、ランプ１０がファスナ２４を介して取り付けられる。この例では、車体自体が、作動するＬＥＤ１６の余熱を除去するためのヒートシンクとして働く。
【００１３】
ライトパイプ１８は個々に形成されてＬＥＤに関して取り付けられることができるが、好適な実施形態においては、図示したようにライトパイプ１８はベース１２と一体的に形成されている。ライトパイプ及びベースのための適切な材料はアクリル等の成形されたプラスチックである。個々のセグメントの間のセパレータ１８ａも、色の分離を助けるために設けられることができる。
【００１４】
さらに良好な放熱能力を保証するために、プリント回路板２０の下側には、金属の車体２６に係合するための突出したリブ２０ａが設けられることができる。
【００１５】
同様に、あらゆる所要の又は所望の電気部品のための空間を提供するためにベース１２のセグメント１４の間に空間１２ａが設けられることができるのに対し、空間１２ｂはＬＥＤ１６を収容する。
【００１６】
赤色光、黄色光及び白色光は視覚的に分離される必要があるので、光パイプ１８はこの分離を提供する。光パイプ１８は、着色光入力を受容、方向付け及び成形し、この着色光入力を、１つの色が別の色に滲み合わないようにしながら、視覚的に分離した方向へ案内する。
【００１７】
現時点で発明の好適な実施形態であると考えられるものが示されかつ説明されたが、添付の請求項によって定義されるような発明の範囲から逸脱することなく、前記実施形態に様々な変更がなされることができることは当業者に明らかとなるであろう。
【図面の簡単な説明】
【００１８】
【図１】カバーを備えない本発明のランプの実施形態の斜視図である。
【図２】図１のランプの平面図である。
【図３】図２の３−３線に沿った断面図である。
【図４】光学部品の下側の平面図である。
【図５】ランプのためのベースの平面図である。
【符号の説明】
【００１９】
１０  多色光ランプ、  １２  ベース、  １２ａ，１２ｂ  空間、  １４  セグメント、  １６  ＬＥＤ、  １８  ライトパイプ、  １８ａ  セパレータ、  ２０  回路板、  ２２  アパーチャ、  ２４  ファスナ、  ２６  車体、  ３０  ボス
【図１】
2006294611.tif 000003
【図２】
2006294611.tif 000004
【図３】
2006294611.tif 000005
【図４】
2006294611.tif 000006
【図５】
2006294611.tif 000007
【図６】
2006294611.tif 000008
【手続補正書】
【提出日】平成18年6月8日(2006.6.8)
【手続補正１】
【補正対象書類名】明細書
【補正対象項目名】００１８
【補正方法】変更
【補正の内容】
【００１８】
【図１】カバーを備えない本発明のランプの実施形態の斜視図である。
【図２】図１のランプの平面図である。
【図３】図２の３−３線に沿った断面図である。
【図４】光学部品の下側の平面図である。
【図５】ランプのためのベースの平面図である。
【図６】リブが設けられたプリント回路板の下面図である。
【外国語明細書】
2006294611.tif 000009
2006294611.tif 000010
2006294611.tif 000011
2006294611.tif 000012
2006294611.tif 000013
2006294611.tif 000014
2006294611.tif 000015
2006294611.tif 000016
2006294611.tif 000017
2006294611.tif 000018
2006294611.tif 000019
2006294611.tif 000020
2006294611.tif 000021